(57)【要約】  人々の所定関連集団のエピソード記憶に基づいてデジタルメディアアイテムをアーカイブおよび検索する。本方法は、アーカイブするユーザが所属する集団を識別し、デジタルメディアアイテムがアーカイブされるべき選択集団を識別するユーザ入力を受信する処理と、集団のアーカイブされるべきデジタルメディアアイテムを識別するアーカイビング入力データを受信し、受信したユーザアーカイビング入力を使用してインデックス情報を生成し、識別されたデジタルメディアアイテムに関連付けるインデックス情報を格納し、アーカイビング入力データの受信を繰り返し、インデックス情報の生成およびデジタルメディアアイテムのインデックス情報を格納し、候補値の選択を表す検索入力データを受信し、選択と一致するデジタルメディアアイテムを検索し出力するため、選択・識別された集団を使用する。
2012507814.tif 000002
【特許請求の範囲】
【請求項１】
メディア検索システムにおいてメディアアイテムを管理する方法であって、
ユーザが前記検索システムとの新しいセッションを開始すると、前記ユーザをあらかじめ登録された集団のメンバーとして承認するステップと、
前記ユーザからのメディアアイテムをインポートするステップと、
前記メディアアイテムが、前記集団に関連付けられる人、前記集団に関連付けられるイベントタイプ、または日付の有効な選択でタグ付けされているかどうか決定するステップと、
タグ付けされたメディアアイテムごとに、前記それぞれのメディアアイテムを前記集団に関連付けられるアーカイブに格納するステップであって、前記アーカイビングが前記メディアアイテムをその後の削除から保護するステップと、
タグ付けされていないメディアアイテムごとに、前記それぞれのメディアアイテムを前記集団に関連付けられる一時的ワークスペースに格納するステップであって、前記一時的ワークスペースが前記それぞれのメディアアイテムをあらかじめ定められた期間格納するステップとを備える、方法。
【請求項２】
前記あらかじめ定められた期間が経過する前に、集団メンバーが前記一時的ワークスペース内のメディアアイテムに、前記集団に関連付けられる人、前記集団に関連付けられるイベントタイプ、または日付の有効な選択でタグ付けする場合、前記それぞれのメディアアイテムを前記一時的ワークスペースから前記アーカイブに移動するステップであって、前記移動されたアイテムがその後の削除から保護されるステップをさらに備える、請求項1に記載の方法。
【請求項３】
前記あらかじめ定められた期間が経過した後に、タグなしメディアアイテムを前記一時的ワークスペースから削除するステップをさらに備える、請求項1に記載の方法。
【請求項４】
メディアアイテムを第1集団の格納スペースから第2集団の格納スペースにコピーするユーザの要求に応じて、
前記それぞれのメディアアイテムを前記システムにアップロードした集団メンバーを識別するステップと、
前記ユーザが前記集団のメンバーの場合、前記メディアアイテムを前記第1集団の前記格納スペースから前記第2集団の前記格納スペースにコピーするステップと、
前記ユーザが前記集団のメンバーではない場合、前記要求を拒否するステップとをさらに備える、請求項1に記載の方法。
【請求項５】
メディア検索システムにおいてメディアアイテムをブラウズする方法であって、
ユーザが前記検索システムとの新しいセッションを開始すると、前記ユーザをあらかじめ登録された集団のメンバーとして承認するステップと、
前記集団に関連付けられる前記システムによって格納され、あらかじめ定められた長さの最近の期間内に前記システムにアップロードされたメディアアイテムを識別するステップと、
前記識別されたメディアアイテムを第1ディスプレイインターフェース内でユーザに提示するステップと、
前記集団に関連付けられる人、前記集団に関連付けられるイベントタイプ、または日付の、有効なユーザ選択を識別するユーザの命令に応答して、第2ディスプレイインターフェースを介して提示された前記ユーザ選択と一致する他のメディアアイテムを再生モードで提示するステップとを備える、方法。
【請求項６】
複数の識別されたメディアアイテムが、前記集団に関連付けられる共通イベントタイプを識別するタグとともに格納される場合、前記第1ディスプレイインターフェースが前記イベントタイプを表すアルバムアイコンを含む、請求項5に記載の方法。
【請求項７】
複数の識別されたメディアアイテムが共通の集団メンバーによってアップロードされたと識別される場合、前記第1ディスプレイインターフェースが前記複数のメディアアイテムを集団として表すアイコンを含む、請求項5に記載の方法。
【請求項８】
前記第2ディスプレイインターフェースが複数のメディアアイテムを連続で提示し、ユーザがポスト、すなわち補助メディアアイテムを現在提示されているメディアアイテムに追加できる命令インターフェースを含む、請求項5に記載の方法。
【請求項９】
前記現在提示されているメディアアイテムに関連付けられる前記補助メディアアイテムとしてテキストアイテムを格納するステップをさらに備える、請求項8に記載の方法。
【請求項１０】
前記現在提示されているメディアアイテムに関連付けられる前記補助メディアとして音声ファイルを格納するステップをさらに備える、請求項8に記載の方法。
【請求項１１】
前記現在提示されているメディアアイテムに関連付けられる前記補助メディアとして画像ファイルを格納するステップをさらに備える、請求項8に記載の方法。
【請求項１２】
前記第2ディスプレイインターフェースが複数のメディアアイテムを連続で提示し、ユーザがポスト、すなわち現在提示されているメディアアイテムに関連付けられる補助メディアアイテムのディスプレイを生じさせることができる命令インターフェースを含む、請求項5に記載の方法。
【請求項１３】
前記第2ディスプレイインターフェースが、ユーザが前記システムにメディアアイテムを日付タグの順序で提示するよう命令できる命令インターフェースを含む、請求項5に記載の方法。
【請求項１４】
前記第2ディスプレイインターフェースが、ユーザが前記システムに前記ユーザに以前提示されていないメディアアイテムを提示するよう命令できる命令インターフェースを含む、請求項5に記載の方法。
【発明の詳細な説明】
【技術分野】
【０００１】
関連出願
本出願は、2000年9月26日に出願された米国出願第09/670635号(係属中)の一部継続出願であり、その内容を参照により本明細書に組み込む。
【０００２】
本発明は、一般にデジタルメディアアイテムのアーカイビングおよび検索に関する。具体的には、本発明は、あらかじめ定められた人々の集団のエピソード記憶に基づくアーカイビングおよび検索処理に関するものである。
【背景技術】
【０００３】
デジタルメディアのための格納およびアーカイビング技法、ならびに対応する検索技法はよく知られている。しかし、この分野の研究は特定のデジタルメディアアイテム、すなわちユーザの要求に正確に一致するデジタルメディアアイテムの検索を容易にすることに集中している。従来技術のアーカイビングおよび検索システムは、意味記憶手法に基づく。このような手法は、特定の条件に関連するアイテムの場所に適している。
【発明の概要】
【発明が解決しようとする課題】
【０００４】
本発明は、あらゆるタイプのデジタルメディアアイテムをアーカイブおよび検索するための異なる手法を提供する。本発明は、今日、人々の集団は彼らの行動、関係、および関心を反映するデジタルメディアアイテムのアーカイブを容易に構築するという事実に基づく。本発明のアーカイビングおよび検索システムは、ティーンエイジの少女、家族、仕事仲間、あるいはスポーツチームまたはクラブによって形成される集団などの、強い人間関係集団によって使用されるように設計されている。本発明は、人々の集団に関するデジタルメディアアイテムをアーカイブおよび検索するために、個人によって使用することもできる。本発明は、これらのデジタルアーカイブを作成しているときに、人々が集団の「記憶」を構築して集団のノスタルジアにふけるという認識に基づく。これらの目的には、意味記憶よりもエピソード記憶に基づくツールの方が効果的で望ましい。
【課題を解決するための手段】
【０００５】
本発明の第1の態様によれば、アーカイビングおよび検索処理が社会集団の共通エピソード記憶に基づく、デジタルメディアアイテムをアーカイブおよび検索するための方法および装置が提供される。デジタルメディアアイテムをアーカイブするために、ユーザはユーザが属する集団を識別する。個人によって使用される場合は、個人が自分自身のための集団を設定できる。この場合、アーカイビングおよび検索は、集団の行動に関連する個人のエピソード記憶に基づく。ユーザが属する集団を一旦ユーザが識別すると、集団のためにアーカイブされるべき1つまたは複数のデジタルメディアアイテムを識別できる。アーカイブされるべきデジタルメディアアイテムは、アーカイブにすでに格納されていてもよく、アーカイビング処理の一部としてアーカイブに格納されてもよい。デジタルメディアアイテムをアーカイブするために、ユーザは列挙パラメータの有限集合を使用してデジタルメディアアイテムにインデックスを付けることを選択できる。より具体的には、パラメータのセットはメディアアイテムが関連する集団イベントタイプ、デジタルメディアアイテムに関連付けられる人、およびデジタルメディアアイテムに関連付けられる期間を備えることができる。したがってデジタルメディアアイテムをアーカイブしたいユーザは、ゼロまたはより多くの集団イベントタイプ、集団内のゼロまたはより多くの人、およびデフォルト「時間なし」または現在の時間にデフォルト設定できる時間を選択できる。これらの3つのパラメータインデックスを使用して、デジタルメディアアイテムについての情報をデジタルメディアアイテムに関連して生成および格納できる。検索のために、ユーザが3つのパラメータを手動で選択してもよく、3つのパラメータが自動で生成されてもよい。したがって、ユーザはゼロまたはより多くの集団イベントタイプ、ゼロまたはより多くの人、および期間を選択できる。デジタルメディアアイテムを検索するために、手動または自動で選択されたパラメータを使用できる。パラメータの自動生成により、集団メンバーによってアーカイブされたデジタルメディアアイテムを通じてランダムな回想が可能になる。
【０００６】
アーカイブおよび検索のための3つの基本的なインデックスとして時間、人々、およびイベントタイプを使用することは、人々が物事を思い出す方法に基づくので、簡単でユーザフレンドリーな資料アーカイビング方法が提供されうる。共有経験を有する集団にこれらのインデックスを適用することにより、デジタルデータアイテムのインデックス付けまたは検索のために必要な人およびイベントタイプの数を制限できる。これにより、全ての可能性のある人々およびイベントタイプから人々およびイベントタイプを選択できるようにするために、ならびに特定の時間を選択できるようにするために、グラフィカルユーザインターフェース(GUI)上のプルダウンメニューなどの簡単なユーザインターフェースを容易にすることができる。インデックス付けに使用される時間は、日付などの特定の時間だけでなく、たとえば2000年7月17日から24日の日付の範囲、または2000年8月などの期間を含むことができる。
【０００７】
デジタルメディアアイテムの収集およびインデックス付けは集団のエピソード記憶に基づくことができるので、すなわち集団メンバーがデジタルメディアアイテムを選択して、集団との関連によってインデックス付けをしているので、データデジタルアイテムを通じた検索およびブラウジングが集団メンバーの記憶に調和する。検索の目的は特定のデジタルメディアアイテムを検索することではなく、忘れられないエピソードに関連するあらゆるデジタルメディアアイテムを検索することである。したがって、インデックス付けシステムはデジタルメディアアイテムを一意的に識別しないが、非常に個人的なフレームワーク内で置換する。たとえば、たとえ特定の写真が必要な場合でも、イベントを通じて思い出すことができるので、イベントまたは人を検索することによって抽出される。したがってアーカイブは、同じイベントにおける同じ人々を含む、同じ期間に撮影された、共通のインデックス付きの多くの画像を含むことができる。
【０００８】
集団が設定されると、その集団のためにアーカイブされた全てのデジタルメディアアイテムがアーカイブ内でその集団に関連付けられるように、集団識別子を割り当てることができる。集団を設定しているユーザは、集団のエピソード記憶に関連する何人かの集団メンバー、およびいくつかの集団のイベントタイプを選択できる。時間の経過とともに集団にメンバーを追加でき、イベントタイプを補完できるので、アーカイブされたデジタルメディアアイテムのインデックスを拡張できる。社会集団のメンバーは常に固定されているわけではないので、これにより柔軟性が可能になる。家族、友人、スポーツチームまたはクラブ、あるいは販売組織などの、集団の一般的な共有経験によって使用する前に、異なる社会集団についてのイベントタイプを決定できる。
【０００９】
アーカイブされるべきデジタルメディアアイテムは、インデックス情報が関連付けられうる、すでにアーカイブされたデジタルメディアアイテムでよい。あるいは、デジタルメディアアイテムはCD ROMまたはウェブサイト上などの別の格納された場所から検索されてもよく、デジタルメディアアイテムは、たとえばテキストアイテムを提供するためにテキストをタイプすることによって、音声アイテムを提供するために音声を録音することによって、画像アイテムを作成するために描画パッケージを使用することによって、画像アイテムを生成するために写真を撮影またはスキャンすることによって、あるいはビデオアイテムを提供するためにデジタルビデオ画像を入力することによって生成されてもよい。好ましい実施形態では、ユーザはあらゆる場所からあらゆるメディアタイプのデジタルメディアアイテムを取得する機能を提供されうる。
【００１０】
本発明の一実施形態は、ユーザに予期せぬノスタルジック経験を提供する機能をさらに提供する。ユーザは、デジタルメディアアイテムの自動検索およびブラウジングを選択できる。検索のための最初のクエリとして、時間、期間、1つまたは複数のイベントタイプ、および1人または複数の人々を自動的にランダムに選択できる。これは検索のための最初の「焦点」を形成する。この焦点は、広い焦点は多くのアイテムを集め、狭い焦点はより少数のアイテムを示す、カメラの焦点に類似している。最初の焦点に基づいて最初の検索が実行されると、たとえば異なるデジタルメディアアイテムを検索するためにパラメータのうちの1つを単に変更することによって焦点はシフトでき、それによってユーザをノスタルジックな旅に連れて行くことができる。あるいは、焦点を拡大または縮小できる。焦点はインデックス付けの幅を示すので、時間、人々、およびイベントタイプについてのインデックスフィールドを拡大または縮小して検索の焦点を拡大または縮小できる。たとえば、広い焦点は1999年という時間の範囲、集団内の全員という人々の範囲、パーティーまたはコンサートというイベントの範囲を含むことができる。より縮小された焦点は、1999年の8月という時間の範囲、集団内の2人のどちらか、および学校の旅行を含むイベントタイプを含むことができる。
【００１１】
本発明は、レジャー目的のデジタルメディアアイテムのアーカイビングおよび検索に適用できるだけではない。本発明はビジネスの状況でも使用できる。たとえば、個人または集団によって本発明をブレインストーミングの補助として使用できる。本システムは、特定の日に特定の人々で開催された特定の会議などの、忘れられないエピソードに関するデジタルメディアアイテムの検索しようとするときに便利な場合がある。会議には、会議に関する電子メール、レター、およびプレゼンテーションがあるだろう。本システムによって、集団のメンバーは、彼らの記憶プロセスによく似たパラメータを使用して、このような会議に関するデジタルメディアアイテムをアーカイブおよび検索できるようになる。
【００１２】
本発明の第2の態様は、ユーザが時間、あらかじめ定められた複数の人々のうちから少なくとも1人の人、およびあらかじめ定められた複数のイベントタイプのうちから1つのイベントタイプを識別できるようにすることによってインデックス情報が生成されうるデジタルメディアアイテムをアーカイブするための、およびそのインデックス情報をデジタルメディアアイテムに関連して格納するための方法および装置を提供する。
【００１３】
インデックス情報は、たとえば「ヘッダ」としてデジタルメディアアイテムとともに格納できる。あるいは、デジタルメディアアイテムはファイル名またはインデックスなどの一意の識別子とともに、別に格納できる。次いで、インデックス情報はこの一意の識別子の参照を搬送する。インデックス情報は、デジタルメディアアイテムとは別に、より速い格納メディアに格納できる。これにより、デジタルメディアベースが迅速に検索されるようになるが、スペースを消費するデジタルメディアファイルのためには費用の高い高速アクセス記憶装置を使用しない。
【００１４】
第3の態様によれば、本発明は、データベースからデジタルメディアアイテムを検索する方法を提供し、本方法は、データベース内のデジタルメディアアイテムを識別するステップと、データベース内の別のデジタルメディアアイテムを自動的に識別するステップと、その他のデジタルメディアアイテムを検索するステップとを備える。その他のデジタルメディアアイテムは、以前に格納した、最初に言及したデジタルメディアアイテムとの関連を介して識別することもでき、その他のデジタルメディアアイテムは無作為に識別することもできる。以前に格納した関連は、デジタルメディアアイテムが少なくとも1つの共通の特徴を有することを示すことができる。さらなるデジタルメディアアイテムは自動的に検索することもでき、ユーザによって選択されうる別のデジタルメディアアイテムがあることをユーザに特定することもできる。
【００１５】
本発明は、スタンドアロン型処理装置に実装することもでき、ネットワークを介して実装することもできる。インデックス情報およびデジタルメディアアイテムのデータベースは、ユーザによって使用される処理装置で物理的に見つけられない場合がある。一実施形態では、本発明はワールドワイドウェブを使用してインターネットを介して実装される。サーバは、デジタルメディアアイテムデータベースおよびインデックス情報データベースをインターフェースで接続する機能をユーザに提供する。ユーザは、コンピュータまたはウェブTV上で実行している従来のウェブブラウザを使用して、サーバにアクセスできる。あるいは、ユーザは、サーバにアクセスするための無線アプリケーションプロトコル(WAP)などの適切なプロトコルを使用するモバイル装置を使用できる。たとえば、デジタルメディアファイルをタイプすることまたは読み取ることによって、デジタルメディアアイテムをユーザの装置に入力できる。次いで、アーカイブするためにデジタルメディアアイテムをサーバにアップロードできる。あるいは、ユーザはアーカイブするためにインターネットを介してデジタルメディアアイテムにアクセスできる。
【００１６】
好都合なことに、本発明は、プロセッサ読取り可能および実行可能コードによってあらゆる適切な処理装置に実装できる。コードは、たとえばフロッピー（登録商標）ディスク、CD ROM、プログラム可能記憶装置、またはテープ装置などの記憶メディア、あるいはインターネットなどのネットワークを介して搬送される電子信号といった信号などの、あらゆる適切な搬送メディアによって処理装置に提供できる。したがって、本発明の方法およびシステムを実装するために、このような搬送メディアによってプロセッサ読取り可能および実行可能コードを適切な処理装置に提供できる。
【図面の簡単な説明】
【００１７】
【図１】本発明の概要を示すブロック図である。
【図２】本発明の実施形態を実装している処理装置のネットワーク構成の概略ブロック図である。
【図３】本発明のスタンドアロン型実施形態の概略ブロック図である。
【図４】本発明の実施形態によるグラフィカルインターフェースの図である。
【図５】本発明の実施形態によるアーカイビング処理の流れ図である。
【図６ａ】本発明の実施形態による、データベースに格納されたインデックス情報の表である。
【図６ｂ】本発明の実施形態による、データベースに格納されたインデックス情報の表である。
【図６ｃ】本発明の実施形態による、データベースに格納されたインデックス情報の表である。
【図６ｄ】本発明の実施形態による、データベースに格納されたインデックス情報の表である。
【図６ｅ】本発明の実施形態による、データベースに格納されたインデックス情報の表である。
【図７】本発明の実施形態による検索処理の流れ図である。
【図８】本発明の実施形態による予期せぬノスタルジック処理を示す表である。
【図９】本発明の実施形態によるシステムのブロック図である。
【図１０】本発明の実施形態によるグラフィカルインターフェースを示す図である。
【図１１】本発明の実施形態による、別のユーザインターフェースを示す図である。
【発明を実施するための形態】
【００１８】
本発明は、社会集団に関連付けられるエピソード記憶に基づくアーカイビングおよび検索デジタルメディアアイテムを提供する。一例示的実施形態では、アーカイビングユーザは複数の集団のメンバーでよい。本発明は、アーカイビングユーザが所属する社会集団を識別して、その社会集団のためにアーカイブされるべきデジタルメディアアイテムを格納する。本発明は、インデックス情報のそれぞれのインスタンスが、それぞれのデジタルメディアアイテムに関連付けられるイベントタイプを識別して、社会集団のメンバーを選択できるように、デジタルメディアアイテムについてのインデックス情報を作成する。一例示的実施形態では、検索処理を実行するために、本発明は検索が行われるべき選択社会集団を識別するユーザ入力を受信して選択社会集団に基づいて候補の識別値を識別する。本発明は候補の識別値を識別するためのクエリを提供する。候補の識別値は、選択社会集団についてのイベントタイプ、および選択社会集団からの人を含むことができる。クエリに応答して、候補の識別値の選択を行うことができ、データベースを検索することができる。選択基準を満たすデジタルメディアアイテムを検索できる。
【００１９】
図1は本発明の実施形態の概要のブロック図であり、ユーザの集団1が集団登録処理2によってデータベース3に登録されている。異なるメディア内のデジタルメディアアイテム、たとえば好きな言葉、写真、詩の一節、彼ら自身の声の録音、ホームビデオからのクリップ、好きな音楽からのクリップなどを識別、収集、変換、または作成するために、プライベート集団のメンバーが共に作業する(または、個人が単独で作業するが、他のユーザに関するデジタルメディアアイテムを使用する)と仮定する。これらのアイテムは、集団または個人の文化を集合的に表す。アイテムは全て写真または音楽録音などの同じメディア内にあってよい。アイテムをアーカイブでき、後に集団内の個人または集団全体がアーカイブのコンテンツを回想およびレビューできる。
【００２０】
集団登録処理2の実行は一度だけであることが好ましいが、時間の経過とともに集団をアップデートすることが可能である。しかし、集団にとって有意義なデータベースを確実に構築するために、この動作を最小限に維持することが好ましい。必要な集団の修正の例は、家族に赤ちゃんが誕生したときである。格納処理7は、インデックスの識別子および他のあらゆる関連情報を、格納されるべきそれぞれのアイテムに関連付けることを担当する。以下でより詳細に説明するが、格納処理7は、データベース3から人々の集団を識別するステップと、インデックス情報があるアーカイブされるべき1つまたは複数のマルチメディアアイテム6を識別するステップと、人々の集団についての可能性のあるイベントタイプの表4からイベントタイプを選択するステップと、カレンダ5から日付を選択するステップとを備える。また、選択された1つまたは複数のアイテムと関連付けるために、データベース3を使用して、データベース3で識別された集団内の個人が選択される。このように、格納処理7は集団、集団のメンバー、イベントタイプ、および日付に従って1つまたは複数のマルチメディアアイテムにインデックスを付ける。また、以下でより詳細に説明するように、格納処理7はハイライトおよびコースの詳細を伝えるためにマルチメディアアイテムにさらにインデックスを付けることができる。
【００２１】
格納処理の結果は、マルチメディアアイテム、ハイライト、コース、および関連情報のインデックスとして格納またはアーカイブされる。マルチメディアアイテムがインデックスデータとは別々に格納されるようにマルチメディアデータベースを構築できる。
【００２２】
以下でより詳細に説明するように、検索処理9によってデジタルメディアアイテムを検索して表示できるようになる。
【００２３】
図2は本発明の実施形態を説明するネットワークの概略図である。本発明の実施形態は、ユーザ装置10、13、または14と遠隔サーバ15との間を接続するためのインターネット12を使用して実装される。ユーザの装置10、13、および14はインターネット12を介してサーバ15に接続されている。ユーザの装置は、スキャナ11およびディスクドライブ10a(たとえばフロッピー（登録商標）、CD、またはDVD)を備える汎用コンピュータ10を含むことができる。これにより、ユーザは画像またはテキストをスキャンすることによって、またはディスクドライブ10aを使用してテキスト、音声、画像、またはビデオファイルをディスクに入力することによって、メディアアイテムをコンピュータ10に入力できるようになる。あるいは、ユーザの装置はウェブTV13、またはモバイル電話または携帯情報端末(PDA)14などのWAP対応のモバイル装置を含むことができる。
【００２４】
サーバ15は、コントローラ16およびマルチメディアデータベース17を備える。コントローラは、必要なウェブインターフェースをユーザに提供するためのウェブサーバ、およびマルチメディアデータベース17にアクセスするためのデータベースインターフェースを備える。
【００２５】
ユーザのためのメディアアイテムの別のソースは、インターネット12に接続しているウェブサイトなどのメディアライブラリ18である。したがって、ユーザはインターネット12を介してメディアライブラリ18でメディアアイテムにアクセスして、後の検索のためにサーバ15でこれらをマルチメディアデータベース17にアーカイブできる。
【００２６】
マルチメディアデータベース17は、単一のメディアまたは複数のマルチメディアアイテムをアーカイブできる。コンテンツは、集団のメンバーを取り巻くメディアまたは複数のメディア、たとえば映画、音楽、模倣、および発言(俳優、または集団メンバーなどからの)、TV広告、TV番組、本、演劇、ならびにダンス、遠足、休日、およびパーティーなどの個人的イベントの写真などから来る。ユーザは、アイテムのうちのいくつかを自分で作成することもでき、いくつかのアイテムをメディアライブラリ18などのオンラインライブラリから取得することもできる。ライブラリ資料の例には以下のものがある:
・音楽サンプル
・広告(必ずしもユーザをターゲットにしていない)
・クラシック映画、TVシリーズ、およびメロドラマからのクリップを含む、映画およびTV
・ドラマからのテキスト、フィクション、および詩などの本
・模倣、上述のいずれかの物まね。
【００２７】
上述のように、本発明は強い人間関係のきずながある個人の集団に適している。本サービスは、長期にわたって集団のアーカイブを維持してアクセスする、ティーンエイジの少女、女性、および家族の集団に適用できると考えられる。本サービスは、若い人達、特にスポーツチームまたは他の競合的努力に参加している人達にも適用できる。しかし、本サービスは個人にも適用できる。単一のマシンにアクセスできる個人または小集団は、ハードディスクドライブなどのローカルな記憶メディアを使用できる。
【００２８】
本発明は、ビジネス環境にも応用される。このような応用では、アーカイブに企業の重要な出来事を反映するメディアアイテムが追加されるので、本システムは企業が社員間に仲間意識を育てることに役立つことができる。社員は企業の業績をトラックして経時的な会社の成長を測定でき、それによって社員間の会社への忠誠心を育むことができる。
【００２９】
図3は、上述のローカル記憶装置を提供する概略図である。この図は汎用コンピュータのアーキテクチャを概略的に示している。コンピュータは、ユーザにオプションを表示するための、およびメディアアイテムを表示するためのディスプレイ30を備えている。テキストを入力するためのキーボード32、およびユーザ選択を可能にするためのマウス33などのポインティングデバイスを備えている。マルチメディアデータベース34は、ハードディスクドライブまたはCD ROMなどの適切な記憶メディアに保存された状態で提供される。プログラムメモリ35は、プロセッサ31によって実装するためのコンピュータコードを格納するために提供される。プログラムメモリ35は、ディスプレイ30上にグラフィカルユーザインターフェースを提供するために、プロセッサ31によって実装するためのグラフィカルユーザインターフェースコードを格納する。メディアアイテムを検索および格納するためにデータベースインターフェースをマルチメディアデータベース34に提供するために、データベースインターフェースコードが格納される。また、全てのコンポーネントをアーカイブするためにユーザがメディアアイテムを修正できるようにするために、プログラムメモリ35はメディアアイテム修正アプリケーションを実装するためのメディアアイテム修正アプリケーションコードを格納する。コンピュータの全てのコンポーネントは制御およびデータバス37によって相互接続されている。
【００３０】
本発明の本実施形態を、ティーンエイジの少女の集団を参照して説明する。本発明は女性および家族の集団にも適している。さらに、本発明は、仕事仲間、スポーツチームまたはクラブなどの他のタイプのプライベート社会集団、さらに個人にとっても便利であると予想される。それぞれのタイプの集団は、その集団に関する異なるイベントタイプのセットを有するだろう。たとえば、ティーンエイジの少女であれば、イベントタイプにはパーティー、休日、ダンス、コンサート、ショー、遠足、デートが含まれよう。
【００３１】
図4は、本実施形態でユーザに表示されるグラフィカルユーザインターフェース50の図である。ディスプレイの領域はワークスペース51として提供される。このワークスペース内で、知られているコンピューティング技法を使用して、画像52および53ならびにテキストアイテム54などのメディアアイテムを配置できる。このようにしてワークスペース51内に表示されたメディアアイテムをアーカイブできる。ワークスペース51は、検索したメディアアイテムを表示するためにも使用できる。ワークスペース51の下には、検索するときにクエリをアーカイブまたは生成するためのインデックス情報(本明細書では「タグ」と呼ばれる)を生成するためのユーザ制御がある。集団内のあらゆる数の人々を選択するためにドロップダウンボックス55が提供される。いくつかのイベントタイプのうちの1つを識別するためにドロップダウンボックス56が提供される。ユーザが日付を入力できるようにするために日付入力57が提供される。(図4には示されていないが、期間の開始日および終了日の両方の入力ができるようにメディアアイテムの検索のための第2の日付入力も提供される。)日付が入力されない場合は今日の日付、またはデフォルトの「日付なし」がクエリに使用される。日付入力フィールドは不完全で使用されてもよい。たとえば、日が指定されない場合は月および年だけが使用されることになる。日も月も指定されない場合は年だけがクエリに使用されることになる。ハイライトを選択できるようにチェックボックス58も提供され、コースの指定ができるように同様のチェックボックス59が提供される。アーカイブするためにインターフェースが使用されると、たとえばポイントおよびクリックすることによってワークスペース51上のメディアアイテムのうちのいずれを選択することもでき、ハイライトチェックボックス58がチェックされてアーカイブボタン60が選択されると、選択された人々、イベントタイプ、および日付選択でメディアアイテムがアーカイブされ、ハイライトとしてマークされることになる。同様に、コースチェックボックス59がチェックされてワークスペース51内のいくつかのメディアアイテムが選択され、アーカイブボタン60が選択されると、ユーザはコース内のメディアアイテムのシーケンスを識別するためのオプションを与えられ、次いでメディアアイテムがコース内の順序を示すインデックスとともにアーカイブされることになる。
【００３２】
人々、イベントタイプ、日付、ハイライト、およびコースの基準に従ってアイテムの検索ができるようにするために、検索ボタン61も提供される。予期せぬノスタルジック経験をユーザに提供するために検索が自動的に行われる、ノスタルジック検索のためのボタンも提供される。以下で、格納および検索処理をより説明に説明する。
【００３３】
図5の流れ図、ならびに図6a、6b、6c、6d、および6eの表を参照して、格納の処理をより詳細に説明する。
【００３４】
格納処理が始まる前に、集団の1人または複数のメンバーによって登録処理(図1の2)が実行されると集団表6aに情報が格納される。集団が集団を識別し、集団内の人々が識別される。ユーザがシステムを使用したい場合、ユーザ名およびパスワードを入力して、それによって彼ら自身を集団メンバーとして識別する。
【００３５】
一旦ユーザがログオンすると、ユーザがデータをアーカイブしたい場合、ステップ71でメディアアイテム72がワークスペース51にインポートされる。この時点で新しいアイテムのタグ識別子が生成され、ステップ73で新しいアイテムが格納される。これにより、図6bに示された集団表へのアイテム識別子の格納が生じる。格納されたアイテムは、ユーザが所属する集団に関連付けられる。
【００３６】
ステップ74で、ユーザはアイテムがハイライトを含むかどうかを選択する。ユーザがそのアイテムを特に忘れられないイベントを表示するハイライトとして選択すると、ステップ75で、図6cに示された表にハイライト情報が格納される。アイテム識別子とともにハイライトフラグが格納される。最初にユーザは、そのアイテムが、単独でまたは他のアイテムと共に、「ハイライト」であるかどうかを述べる機会がある。このようにしてユーザは、メディアアイテムが、集団の学校での最終日、集団の最も大人しいメンバーの最初のデートなどの何らかの特別な特徴を有するかどうかを決定できる。
【００３７】
ステップ76で、ユーザは、ワークスペースに表示されたメディアアイテムが何らかの有意義な方法でアイテムをリンクする特別なコースを構成するアイテムのシーケンスを含むかどうかを決定できる。たとえば以下の通りである:
1.  映画の静止シーンを表す画像
2.  俳優のうちの1人によって話される、映画からのキャッチフレーズを繰り返す音声クリップ
3.  学校の先生の声でキャッチフレーズを繰り返す別の音声クリップ
4.  先生の風刺画を表す画像。
【００３８】
ユーザがメディアアイテムをコースとして格納することを選択すると、ステップ77で、ユーザが選択したコース内のアイテムのシーケンスが、図6dで示されたコース表においてデータベースに格納される。それぞれのコースが個別の識別子を与えられ、コース内のそれぞれのメディアアイテムがコースにおけるシーケンス内のアイテム識別子によって識別される。
【００３９】
ハイライトであるメディアアイテムもコース内のメディアアイテムを含むことができることが、図5ならびに図6cおよび6dからわかる。
【００４０】
ステップ78で、ユーザは、それぞれの格納されたアイテムと関連付けられるべきである情報がもしあれば、それはどの情報かを示す機会を与えられる。図4のグラフィカルユーザインターフェースに示されるように、ユーザは以下を選択できる:
・関連付けられるべき登録された人々がある場合、それはどの人々か、
・関連付けられるべきイベントタイプがある場合、それはどのイベントタイプか、
・関連付けられるべき日付がある場合、それはどの日付か。ユーザが日付を示すことを拒否する場合、現在の日付が自動的に関連付けられてもよく、あるいは日付が関連付けられなくてもよい。
【００４１】
したがって、人々のリストを提供するために人々の集団のデータベース79が使用される。集団ごとに利用可能なイベントタイプを提供するために、イベントタイプの表80を使用できる。関連する日付を提供するためにカレンダ81を使用できる。ユーザがこれらの人々、イベントタイプ、および日付の中から選択すると、選択されたデータがタグとしてメディアアイテムに付けられる。
【００４２】
次いで、ステップ82で、図6eに示されるようにインデックス情報としてタグが格納される。それぞれのアイテムはアイテム識別子によって識別され、それぞれのアイテムのメディアタイプが識別される。これは自動的に決定されてもよく、ユーザがメディアタイプを定義してもよい。それぞれのアイテムに関連付けられる人々、時間、およびイベントタイプタグは、アイテム識別子にリンクする表に格納される。
【００４３】
次いで、ステップ83でアーカイビング処理が完了する。この処理を使用して、時間とともに徐々にアーカイブを多くのメディアアイテムで増強することができ、メディアアイテムのうちのいくつかはハイライトとしてグループ化され、いくつかはコースの一部を形成し、いくつかは関連情報でインデックス付けされる。
【００４４】
次に、図7の流れ図を参照して検索処理を説明する。格納後のある時点で、メンバーは集団のアーカイブのコンテンツを詳しく調べたいかもしれない。メンバーは、楽しみのために、議論を収めるために、回想するために、他の活動の変化する背景としてアイテムのストリームを経験するために、整頓のために、あるいは新しいアイテムを追加するために、詳しく調べたいかもしれない。本実施形態における検索の方法は以下の通りである:
1.  同じメディアタイプのアイテムを経験する
2.  ハイライトを経験する
3.  あらかじめ定められたコースをたどる
4.  一定の焦点を有するアイテムを経験する
5.  予期せぬノスタルジアを楽しむ
6.  無作為に閲覧する。
【００４５】
ユーザは、使用するべき特定の方法をいつでも選択できる。本実施形態では、ユーザによって決定された、または自動的に決定された焦点が常にあると仮定する。焦点はタグに基づくことができ、焦点は1人または複数の人々、日付または期間、イベントタイプのうちの1つまたは複数の選択を含む。
【００４６】
焦点は空でよく、すなわち人々、時間、またはイベントタイプが指定されなくてもよい。この場合、集団についてのデータベース内の全てのアイテムが焦点内ということになる。
【００４７】
検索方法のあらゆる組合せを使用できる。検索は、図4のグラフィカルユーザインターフェースに示されるように、ユーザによって選択された検索パラメータに依存することになる。パラメータは、関連する人々、イベントタイプまたは日付、ハイライト、コースまたはメディアタイプを含むことができる。(図4のGUIは、ユーザがメディアタイプを選択できる手段を示していない。あらゆる適切な手段を使用できる。)
【００４８】
図7の流れ図は検索処理を示している。ステップ90で、ユーザは検索パラメータを選択でき、ステップ91で、関連パラメータでアイテムが識別される。ステップ92で、あらかじめ定められた数のアイテムが表示される。多数のアイテムが識別された場合、ワークスペース51の混乱を防ぐために、表示されるアイテム数が制限される。ユーザがさらなるアイテムの表示を選択できるように、より多くのアイテムがあるという指摘を表示できる。ステップ93で、表示されたアイテムのうちの1つがコースアイテムかどうか決定される。コースアイテムの場合、ステップ94でコース内のアイテムが表示される。これは自動的に行われてもよく、そのコースをたどってアイテムを表示することをユーザが選択できるようにするために、特定の表示されたアイテムからたどるべきコースがあるという通知をユーザが与えられてもよい。このようにして、ユーザはメディアアイテムのコースをたどってノスタルジック経験を経験できる。
【００４９】
ステップ95で、ユーザがセッションを終了したかどうか決定され、終了した場合、ステップ96で処理が完了する。セッションを終了していない場合、処理はステップ90に戻る。新しい検索パラメータの選択が行われる。
【００５０】
図4のグラフィカルユーザインターフェースに示されるように、ユーザはノスタルジック検索を使用して検索することを選択できる。これは、人が古い写真の箱または個人的な日記に目を通す方法に似ている予期せぬノスタルジア処理という結果をもたらす場合があり、開始点は無作為に、あるいは人、時間(期間)、またはイベントに基づいて決定できる。次いで、人、時間、またはイベントについての1つまたは複数のアイテムをレビューすることがアイテムのうちの1つを異なる関係にリンクすることをトリガして、関連アイテムの新しいシーケンスがレビューされる場合がある。たとえば、1998年の夏に関するアイテムを見ているとき、集団のうちの1つの写真がばかなことをしていた18歳の誕生日を思い起こさせる、またはパーティーが記述された日記を見つけることが、やはり日記に記述されているその時期に起こった異なるイベントに焦点を移動させる。ノスタルジックな旅はある方法で関連付けられるアイテムに焦点を合わせてランダムな長さのシーケンスで続き、その後、焦点のシフトおよび新しいアイテムのシーケンスが続く。
【００５１】
図8は、予期せぬノスタルジックな旅の例を示している。最初の4列は連続で検索されたアイテムを示しており、5番目から7番目の列は現在の焦点を示している。焦点が移動するときはいつでもそれが8番目の列に表示される。矢印は新しい焦点がどのように生成されたかを示している。旅はハイライトとコースの両方に遭遇し、両者が表に示されている。
【００５２】
したがって、予期せぬノスタルジア検索処理は、人々、イベントタイプ、および日付というパラメータを備える最初の焦点を識別するステップを備える。これは無作為に決定される。最初の焦点を使用して、メディアアイテムの最初のセットが検索される。その後、焦点を変更するためにその1つまたはいくつかのパラメータが変更され、メディアアイテムを検索するための新しいパラメータが使用される。焦点を自動的にシフトできる多くの方法がある。以下のTable 1(表1)は、予期せぬノスタルジア検索処理におけるいくつかの可能性のある焦点シフトを識別する。
【００５３】
【表１】
2012507814.tif 000003
【００５４】
また、時間とともに連続的に焦点シフトを行う戦略のための広い範囲がある。いくつかの可能性は以下のTable 2(表2)に示されている。
【００５５】
【表２】
2012507814.tif 000004
【００５６】
また、ユーザは「無作為に」アーカイブに浸りたいと望むかもしれない。これは事実上の無作為を意味し、すなわち、以前の選択を全く参照せずにそれぞれのアイテムが選択される。これは検索処理にとって扱うのが容易である。
【００５７】
あるいは、相互にできるだけ異なる連続アイテムをユーザが見たいことを意味する場合がある。この場合、検索処理は、それぞれのアイテムの関連情報に基づいて、確実に2つの連続アイテム間が最大「距離」になるようにすることができる。たとえば、人々が重複しないアイテムは人々が重複しているアイテムよりもさらに離れており、異なるイベントタイプを有するアイテムは同じイベントタイプを有するアイテムよりもさらに離れており、時間における差異はアイテムの距離の直接的な尺度を与える。
【００５８】
ある実施形態では、システムによってメディアアイテムが提示されている間にノスタルジック検索モードに入ると、現在提示されているメディアアイテムに関連付けられるタグに基づいて後続の検索動作を行うことができる。この実施形態では、タグが集団に関連付けられる人々の識別子を含むかどうかをシステムが決定でき、含む場合は、システムは共通の人々を識別するタグを有する他のメディアアイテムを検索できる。仮に、現在提示されているメディアアイテムに、タグによって割り当てられた人が3人いる場合、システムはそれらの同じ3人の人々の検索を実行して、一致が検出されたメディアアイテムを提示できる。システムは、3人のそれぞれに連続的に焦点を当てることによって一致するメディアアイテムを提示してもよく、3人のうちのいずれかが識別されたメディアアイテムを無作為に提示してもよい。メディアアイテムが提示されている間にノスタルジック検索モードに入り、メディアアイテムにはタグを介して割り当てられた人がいない場合、システムはメディアアイテムがイベントタイプまたは日付を識別するタグを有するかどうか決定できる。システムは、それらのメディアアイテムに関連付けられる同じイベントタイプまたは日付タグを有する他のメディアアイテムを検索して、それらのメディアアイテムをノスタルジック検索モードで提示できる。
【００５９】
図9に示されるように、動作の別の実施形態では、システムはメディアアイテムの管理のために複数の一時的ワークスペース910.1〜910.nを提供できる。この実施形態では、システムは集団ごとに一時的ワークスペース910.1とアーカイブ記憶装置920.1の両方を提供できる。一時的ワークスペース910.1は、集団メンバーによってシステムにアップロードされたメディアアイテムを格納できる。アーカイブ920.1は、集団に関連付けられる識別子によってタグを割り当てられた、すなわち人々、イベントタイプ、および/または時間識別子でタグを付けられたメディアアイテムを格納できる。タグなしメディアアイテムは、一時的ワークスペース910.1にあらかじめ定められた時間、たとえば1か月間格納できるが、集団メンバーによってタグを割り当てられていない場合、あらかじめ定められた時間が経過するとシステムから削除されうる。
【００６０】
一時的ワークスペース910.1は、他の集団メンバーによってアップロードされた新しいメディアを集団メンバーがレビューできる、およびアーカイブするためのメディアアイテムを選択するための、便利なメカニズムを提供する。集団のイベント(たとえば結婚式または企業撤退)に続いて、集団メンバーがそのイベントを代表するデジタル画像をシステムにアップロードする例について考察する。特定の日  (たとえば2008年11月1日)に、タグなしでデジタル画像をシステムにアップロードできる。翌月の間、他の集団メンバーがそのメディアアイテムを一時的ワークスペースからレビューして、特定の画像がアーカイブされるべきだと決定できる。このような場合、他の集団メンバーがその画像にタグを割り当てることができる。このようなタグが割り当てられると、システムは選択された画像を集団アーカイブ920.1に含むことができ、そこで、選択された画像はシステムによる削除から保護される。一定期間が経過した後で、タグがないままのあらゆるメディアアイテムはシステムから削除されうる。
【００６１】
もちろん、アップロードするユーザは、システムにアイテムをアップロードする際にメディアアイテムにタグを割り当てることができる。たとえば、ユーザは10枚の写真のセットのそれぞれに選択されたイベントタイプ(たとえば結婚式)というタグを付けて、システムにアップロードできる。このような場合、メディアアイテムは、他の集団メンバーによるどのような交流にもかかわらず、集団のアーカイブ920.1に追加されることになる。
【００６２】
別の実施形態では、システムはメディアアイテムを集団のアーカイブ間および/または集団のワークスペース間でコピーすることを許可できる。社会的交流において一般的に生じるように、ユーザは複数の集団に所属できる。メディアアイテムは複数の集団に適用できる。たとえば、2度目の結婚をする人は子供達のメディアアイテムをある集団(その結婚以前)から第2集団(新しい家族)にインポートできる。このような場合、システムはユーザが所属する集団間でユーザがメディアアイテムをコピーすることを許可する特徴を提供できる。ある実施形態では、防犯設備として、アップロードしている集団メンバーの承諾が与えられない限り、システムは他の集団メンバーによってアップロードされたメディアアイテムをユーザがコピーすることを制限できる。このような場合、その特定のユーザが最初にメディアアイテムをシステムにインポートした場合のみ、ユーザはメディアアイテムを集団間でコピーすることを許可される。
【００６３】
図9は、アーカイブ920.1〜920.nおよび一時的ワークスペース910.1〜910.nがサーバによって維持されるネットワーク環境における、本発明の利用を示している。このような環境では、インターネットなどのネットワークを介してサーバと通信していれば、個人ユーザは端末からサーバにアクセスできる。
【００６４】
図10は、本発明の別の実施形態によるユーザインターフェース1000を示している。ディスプレイの領域はディスプレイパネル1002として提供されうる。ディスプレイパネル1002は、上述のように画像1003〜1004、テキストアイテム1005、および音声ファイル1006を含むことができる、メディアアイテム1003〜1007を表示できる。ユーザインターフェースは、本明細書で説明するナビゲーションのためのアイコン1007〜1008も表示できる。ユーザインターフェース1000は、アーカイブのためにユーザがメディアアイテムにタグを割り当てることができる様々なツールも含むことができる。これらのツールは、たとえば、メディアアイテムにタグを割り当てるためのプルダウンメニュー1012〜1016、ならびにハイライトおよびコース識別子1020、1022を含むことができる。アーカイブボタン1032はメディアアイテムへのタグをシステムにセーブさせ、システムに以前のタグなしメディアアイテムを一時的ワークスペースからアーカイブに転送させる。
【００６５】
一実施形態では、ユーザがシステムとの新しいセッションを開くと、システムはユーザインターフェース1000の第1インスタンス内に新しく追加されたアイテムを提示できる。したがって、最も新しいアイテムを集団の「ホームページ」に提示でき、ごく最近集団に追加された新しいメディアアイテムを識別するためにユーザによってブラウズされうる。これらの新しいメディアアイテムは、一時的ワークスペース910.1(図9)に常駐するタグなしメディアアイテム、または集団のアーカイブ920.1に格納されているタグ付きメディアアイテムを含むことができる。最初に表示するメディアアイテムを選択するために、システムは集団の格納スペースである一時的ワークスペース910.1およびアーカイブ920.1の両方を検索して、一定の期間内のアップロード日(たとえば、過去30日間)を有するメディアアイテムを識別して、それらを検索および表示できる。その後、ユーザは随意にシステムのツールを使用できる。
【００６６】
ある実施形態では、共通イベントタイプでタグ付けされた新しいメディアアイテムを、イベントタイプでタグ付けされた複数のメディアアイテムへのナビゲーション経路を表すアイコンである「アルバム」1007として表示できる。この実施形態では、ユーザがシステムとの新しいセッションを開始してシステムが最近のアップロード日を有するメディアアイテムを検索すると、システムはタグ付きメディアアイテムをイベントタイプで分類して、そのイベントタイプを表すアルバムアイコン提示する。ユーザがアルバムアイコン1007と対話すると(たとえば、アイコン上をクリックまたはダブルクリックすることによって)、システムはアルバムのメディアアイテムを新しいディスプレイスクリーン(図示せず)に提示できる。
【００６７】
さらに、システムは、それぞれのメディアアイテムをシステムにアップロードした集団メンバーを識別するために、それぞれのメディアアイテムに関連付けられるメタデータも格納できる(「記録者」フィールドに格納される)。ユーザがシステムとの新しいセッションを開くと、システムは他の集団メンバーによってアップロードされたメディアアイテムを識別する他のアイコン1008を表示できる。このようなアイコンとのユーザの対話(たとえば、アイコン上をクリックまたはダブルクリックすることによる)によって、システムに共通集団メンバーによってアップロードされたメディアアイテムを新しいディスプレイスクリーン(図示せず)に提示させることができる。その後、ユーザはそのアイコンに関連付けられるメディアアイテムと、たとえばそのメディアアイテムをレビューすること、および場合によってはそのアイテムにタグを追加することによって対話できる。
【００６８】
この点について、特定のメディアアイテムについて格納された「記録者」フィールドは、インデックスのためにメディアアイテムに適用された人々の「タグ」とは異なる点を理解されたい。記録者フィールドは、メディアアイテムをシステムにアップロードする集団メンバーを単に識別するだけである。メディアアイテムは、システムにタグ付きメディアアイテムとしてもタグなしメディアアイテムとしてもアップロードできる。メディアアイテムに人を識別するタグが追加されると、そのタグはメディアアイテムが特定の集団メンバーに関連することを示す。多くの共通の例では、メディアアイテムは第1集団メンバーによってアップロードされるが、他のいずれかの集団メンバーを識別するタグを割り当てられることになる。アイコン1008によってアップロードされたものは、レビューするために集団メンバーが新しく追加されたメディアアイテム間をナビゲートするのに便利な技法を単に提供するだけである。
【００６９】
本システムは、ユーザインターフェースのボタン1020を介してアクセスできるチャット機能も含むことができる。参加すると、システムは集団メンバーによって集団の他のメンバーに書き込まれたメッセージの記録を表示できる。チャット機能は、特に新しいメディアアイテムをシステムに追加して特定のアイテムに注目を集める際に、集団メンバーが集団内に一時的メッセージを書き込むための便利なメカニズムを提供できる。システム1000はあらかじめ定められた期間(たとえば30日間)メッセージを維持でき、その後メッセージは削除される。
【００７０】
図11は、本発明の別の実施形態によるユーザインターフェース1100を示している。この実施形態は、アイテムブラウジングの間に使用できるユーザインターフェース1100を示している。ユーザインターフェースは、現在閲覧されているメディアアイテムを表示するためのディスプレイパネル1110、およびメディアアイテムの提示を制御するためのナビゲーション制御1120〜1145を含むことができる。方向制御1120は、ユーザが提示されたメディアアイテムを要望通りに一時停止したり、前方または後方にスクロールしたりできるようにする。他の制御1130〜1145は、ハイライトまたはコースの提示、あるいは提示の焦点を合わせるためのタグ(人、イベント、日付)の選択などの、異なるモードの提示を行ってもよく、行わなくてもよい。
【００７１】
ユーザインターフェース1100は、オペレータがポストでメディアアイテムを補完できるようにする制御1150も提示できる。本明細書では、「ポスト」は、集団メンバーの記録されたノートを含むことができる、主要メディアアイテムに関連して格納されうる補助メディアアイテムである。たとえば、写真はポストとして共に格納されたテキストノートを有することができる。テキストノートは写真に関連付けられるイベントのメンバー説明を含むことができる。写真はどのような形式をとってもよく、テキストファイル、音声ファイル、およびデジタル画像を含むことができる。一実施形態では、ユーザがポストボタン1150上をクリックするとテキストパッドが提供されうる。別の実施形態では、ユーザがポストボタン1150上をクリックすると音声録音メニューが提供されうる。さらに、システムは集団メンバーが外部で作成されたメディアアイテムからポストをシステムにインポートして、それらのメディアアイテムを主要メディアアイテムにリンクするように格納できるようにすることができる。
【００７２】
検索動作中、システムが関連するポストを有するメディアアイテムを提示すると、システムはポストの存在を示すアイコン1160を表示できる。ユーザとシステムとの対話により、ポストが提示される場合もある。たとえば、ユーザはアイコン1160をクリックしてシステムにポストを提示させることができる。あるいは、ポストが存在するメディアアイテムの再生をオペレータが一時停止すると、一定時間(たとえば30秒)後にシステムは自動的にポストを提示できる。
【００７３】
上述のように、検索は特定の人または集団に基づくことができる。ユーザインターフェースは、検索動作が焦点を合わせるべき人をユーザが指定できるようにするためにユーザインターフェース要素1125を含むことができる。ある実施形態では、ユーザインターフェースは、メディアアイテムを提示するための順序、たとえば年代順または逆年代順をユーザが指定できるユーザインターフェース要素1170も含むことができる。さらなる実施形態では、ユーザは、集団にかかわらず指定された人に関連するものとしてタグ付けされたメディアアイテムを検索するよう、システムに命令できる。このようにして、年代順提示は識別された人の生涯に沿ってメディアアイテムを表示できる。
【００７４】
さらに、ユーザインターフェースは、ユーザがまだ見ていないマテリアルをレビューすると決定できるボタン1180を含むことができる。この実施形態では、システムはユーザが以前のセッションで見たメディアアイテムを記録するユーザ履歴を格納できる。再生中、システムは格納されたメディアアイテムをユーザ履歴と比較して、提示されているメディアアイテムが以前ユーザに提示されたものではないように、あるいはあらかじめ定められた回数またはユーザセッション数内にユーザに提示されたものではないように確実にすることができる。
【００７５】
上記の説明から、当業者は本発明が様々な形式で実装できることが理解できるであろう。したがって、本発明の実施形態を特定の例に関連して説明してきたが、図、明細書、および以下の特許請求の範囲を研究すれば他の修正形態が当業者に明らかになるので、本発明の実施形態の真の範囲はこれに限定されない。
【符号の説明】
【００７６】
1  ユーザの集団
10  ユーザ装置
10a  ディスクドライブ
11  スキャナ
12  インターネット
13  ユーザ装置
13  ウェブTV
14  ユーザ装置
14  モバイル電話または携帯情報端末(PDA)
15  遠隔サーバ
16  コントローラ
17  マルチメディアデータベース
18  メディアライブラリ
50  グラフィカルユーザインターフェース
51  ワークスペース
52  画像
53  画像
54  テキストアイテム
55  ドロップダウンボックス
56  ドロップダウンボックス
57  日付入力
58  チェックボックス
59  チェックボックス
60  アーカイブボタン
61  検索ボタン
1000  ユーザインターフェース
1002  ディスプレイパネル
1003  画像
1004  画像
1005  テキストアイテム
1006  音声ファイル
1007  アイコン
1007  アルバム
1008  アイコン
1012  プルダウンメニュー
1016  プルダウンメニュー
1020  ハイライト識別子
1020  ボタン
1022  コース識別子
1032  アーカイブボタン
1100  ユーザインターフェース
1110  ディスプレイパネル
1120〜1145  ナビゲーション制御
1120  方向制御
1125  ユーザインターフェース要素
1150  制御
1150  ポストボタン
1160  アイコン
1170  ユーザインターフェース要素
1180  ボタン
【図１】
2012507814.tif 000005
【図２】
2012507814.tif 000006
【図３】
2012507814.tif 000007
【図４】
2012507814.tif 000008
【図５】
2012507814.tif 000009
【図６ａ】
2012507814.tif 000010
【図６ｂ】
2012507814.tif 000011
【図６ｃ】
2012507814.tif 000012
【図６ｄ】
2012507814.tif 000013
【図６ｅ】
2012507814.tif 000014
【図７】
2012507814.tif 000015
【図８】
2012507814.tif 000016
【図９】
2012507814.tif 000017
【図１０】
2012507814.tif 000018
【図１１】
2012507814.tif 000019
【国際調査報告】
2012507814.tif 000020
2012507814.tif 000021
2012507814.tif 000022